(57)【要約】【課題】  間口のエッジ部に近い箇所に存在する溝へガスケットの取付作業が行われたとしても、当該溝の外壁部分が欠落せず、劣化したガスケットの交換時においてもエッジの欠落が生じない建築用ガスケット及び躯体構築工法の提供。【解決手段】  パネル材１の縁部の一方の面を支持する支え片２、及び当該縁部のもう一方の面を支持する押え片３を、挟持溝４を挟んで具備する保持部５と、前記パネル材１が装着される間口の締結部６に差し込まれるアンカー部７を備え、前記押え片３の中央部に欠損溝８を設けて保形部材９を装填すると共に、前記保持部５からアンカー部７に達し前記挟持溝４の底面に開口部を有するクサビ溝１０を設けてクサビ１１を装填する等断面形状の建築用ガスケット。【選択図】      図１（Ａ）（Ｂ）
2007205095.tif 000002
【特許請求の範囲】
【請求項１】
パネル材（１）の縁部の一方の面を支持する支え片（２）、及び当該縁部のもう一方の面を支持する押え片（３）を、挟持溝（４）を挟んで具備する保持部（５）と、前記パネル材（１）が装着される間口の締結部（６）に差し込まれるアンカー部（７）を備え、前記押え片（３）の中央部に欠損溝（８）を設けて保形部材（９）を装填すると共に、前記保持部（５）からアンカー部（７）に達し前記挟持溝（４）の底面に開口部を有するクサビ溝（１０）を設けてクサビ（１１）を装填する等断面形状の建築用ガスケット。
【請求項２】
前記アンカー部（７）の側面を先細りの略平坦な面に成形して成る前記請求項１に記載の建築用ガスケット。
【請求項３】
前記パネル材（１）が装着される間口を含んだ躯体を構築する為のコンクリート打設用型枠（１２）を組むと共に、前記間口の締結部（６）となる領域に、当該締結部（６）へアンカー部（７）が差し込まれる請求項１又は請求項２のいずれかの建築用ガスケットを装着した固定用治具（２４）を組み入れる型枠組上げ工程と、組上げられた型枠（１２）内にコンクリート材を流し込み固化させる打設工程を経る躯体構築工法。
【発明の詳細な説明】
【技術分野】
【０００１】
本発明は、建築物においてガラスや外壁材等のパネルを支持・固定するための建築用ガスケットに関する。
【背景技術】
【０００２】
従来、躯体の間口等を区画するパネルを安定して保持すべく、当該パネルの端部を嵌め込む溝とジッパーを嵌め込むジッパー溝とをゴム本体に形成し、該ゴム本体のジッパー溝にジッパーを嵌め込むことでゴム本体における溝近傍の部分をパネルの側面に押し付けるようにした構造を持つ建築用ガスケットが下記特許文献をはじめとして複数存在している。
【０００３】
【特許文献１】特開平１０−２６６７１６号公報
【特許文献２】特開２０００−３２８６８１号公報
【特許文献３】特開２００５−２９９１７８号公報
【発明の開示】
【発明が解決しようとする課題】
【０００４】
これらの様な建築用ガスケット（以下、ガスケットと記す。）は、躯体の間口等に設けられた締結溝にアンカー部を嵌め入れることによって定着されパネル材を保持することとなるが、アンカー部を嵌め入れる作業は極めて重労働であり時間が掛かるという問題がある。
また、窓などの外壁に面した間口を区画する際には、外観のデザイン等の関係から外壁とパネル材とが面一となることを求められる場合が少なく無く、その際、外壁面に近接した箇所に前記アンカー部を嵌め入れる溝を設ける必要が生じる。
【０００５】
コンクリートの塊は極めて堅牢であるが、そのエッジ部は比較的脆く、エッジ部に近い箇所に存在する溝へガスケットの取付作業が行われると、コンクリートの打設時において生じた脱気に伴うひび割れとも相俟って、当該溝の外壁部分が欠落することが多い。また、その欠落は、劣化したガスケットの交換時においても多く発生し、パネル構造の保守管理にも支障を来たしていた。
【０００６】
上記特許文献１及び特許文献３に開示されたガスケットは、外壁面から離れた箇所に溝を設け、当該溝にアンカー部を嵌めいれ得る構造のガスケットを採用し、その様な問題を回避しているとも考えられるが、アンカー部を室内側へ長く延出させる構造が必要となる他、前記保守管理上の問題点は依然解決されるに至らない。
【０００７】
本発明は、上記問題点を解決するためになされたもので、その目的は、間口のエッジ部に近い箇所に存在する溝へガスケットの取付作業が行われたとしても、当該溝の外壁部分が欠落せず、劣化したガスケットの交換時においてもエッジの欠落が生じない建築用ガスケット及び躯体構築工法を提供することにある。
【課題を解決するための手段】
【０００８】
上記課題を解決するためになされた本発明による建築用ガスケットは、パネル材の縁部の一方の面を支持する支え片、及び当該縁部のもう一方の面を支持する押え片を、挟持溝を挟んで具備する保持部と、前記パネル材が装着される間口の締結部に差し込まれるアンカー部を備え、前記押え片の中央部に欠損溝を設けて保形部材を装填すると共に、前記保持部からアンカー部に達し前記挟持溝の底面に開口部を有するクサビ溝を設けてクサビを装填する等断面形状の構造を有することを特徴とする。
【０００９】
前記アンカー部の側面を先細りの略平坦な面に成形して成る建築用ガスケットとしても良い。尚、先細りの程度は、鉛直に近くても良く、その形状や寸法或いは面の仕上げ（例えば、複数のひだを設ける等（上記特許文献参照））は、素材や取り付ける態様に応じて適宜設定すれば良い。
【００１０】
上記課題を解決する為に成された躯体構築工法は、前記パネル材が装着される間口を含んだ躯体を構築する為のコンクリート打設用型枠を組むと共に、前記間口の締結部となる領域に、当該締結部へアンカー部が差し込まれる請求項１又は請求項２のいずれかの建築用ガスケットを装着した固定用治具を組み入れる型枠組上げ工程と、組上げられた型枠内にコンクリート材を流し込み固化させる打設工程を経ることを特徴とする。
【発明の効果】
【００１１】
上記構造を持った本発明による建築用ガスケット及び躯体構築工法によれば、比較的脆いコンクリートから成る躯体の間口のエッジ部近傍に溝を設けガスケットの取付作業が行われたとしても当該溝の外壁部分が欠落することは無く、劣化したガスケットの交換時においてもエッジの欠落が生じないこととなる。
【００１２】
また、本発明による躯体構築工法によれば、ガスケットのアンカー部がインサート成形される形でコンクリート打設用の型枠にガスケットが組み込まれることによって、コンクリートの打設時において脱気は生じずそれに伴うひび割れも生じないこととなる。
【００１３】
よって、ガスケットのアンカー部が装填された溝に比較的高い強度を与えることができる他、当該溝に装着された型枠の取り外し時におけるエッジ部の欠落も回避され、それは、劣化したガスケットの交換時におけるエッジの欠落防止に寄与し、パネル構造の保守管理の便宜にも寄与することとなる。
【発明を実施するための最良の形態】
【００１４】
以下、本発明による建築用ガスケット（以下、ガスケットと記す）の実施の形態を、当該ガスケットを用いたパネルの保持構造及び当該保持構造を備えた躯体構築工法の一例と共に図面を示しつつ説明する。
【００１５】
図に示すガスケットは、パネル材１の縁部の一方の面を支持する支え片２、及び当該縁部のもう一方の面を支持する押え片３を、挟持溝を挟んで具備する保持部５と、前記パネル材１が装着される間口の締結部６として刻まれた締結溝１３に差し込まれるアンカー部７を備えたものである。
【００１６】
前記押え片３の中央部には、欠損溝８が設けてあり、当該欠損溝８の存在により素材の伸縮に因る自由変形が広く許容されたことにより図２（Ｂ）の如く前記挟持溝４へパネル材１の縁部を装着できることとなる。パネル材１の装着後は、当該欠損溝８へ保形部材９を装填し、前記パネル材１を挟持する前記保持部５の保形を図ることができる（図２（Ｃ）参照）。
【００１７】
前記挟持溝４の底面には、前記保持部５からアンカー部７に達するクサビ溝１０の開口部が設けてあり、前記アンカー部７を締結溝１３に差し入れる際、又は差し入れた後に、当該クサビ溝１０にクサビ１１を装填する。クサビ１１は押出成形によって、ビス状の等断面を有する長尺材として形成されたものであり、当該クサビ１１を差し入れることによってアンカー部７が側方へ僅かに膨出する形で、締結溝１３の側壁面へアンカー部７の側面が弾性的に密接する。
【００１８】
前記アンカー部７の側面は、図１（Ａ）の如く略平坦な面であっても良いし、図１（Ｂ）の如く複数のひだ１４を連続して形成しても良い。前記締結溝１３への差し入れ上の便宜では僅かでも先細りとすることが望ましいが、形状的な要請事項は、アンカー部７の形状や素材に依存する。
【００１９】
因みに、図に示すガスケットの本体は、シリコンゴム、クロロプレンゴム、エチレンプロピレンゴム、ポリエチレン、ポリウレタン、ポリ塩化ビニル等の弾性保持力が高く耐候性の高いゴム素材を用いて押出成形されており、一方、前記保形部材９やクサビ１１は、狭い隙間に差し入れられる物であるから過度に柔軟性を有するものは不適当である、従って、前記ガスケットの本体と比較して硬質な樹脂を素材として押出成形されることが望ましい。
【００２０】
上記ガスケットを用いたパネル材１の取付構造を構築するには、間口部を形成するコンクリートに設けられた締結溝１３、或いは当該開口部を取り囲む枠として固着されたフレーム材の締結溝に、前記ガスケットのアンカー部７を嵌め入れ、前記の如くパネル材１を装着する手法（図示省略）の他、図３及び図４の如く、パネル材１が装着される間口を含んだ躯体を構築する為のコンクリート打設用型枠１２を組むと共に、前記間口の締結部６となる領域に、当該締結部６へアンカー部７が差し込まれる前記ガスケットを装着した固定用治具２４を組み入れ（型枠組上げ工程）、組上げられた型枠１２内にコンクリート材を流し込み固化させ（打設工程）、型枠を外す躯体構築工法を採ることができる。その際、クサビ１１は予め装着しておいても良いが、外しておいても良い。
【００２１】
前記固定用治具２４は、アルミ合金等の耐食性の高い金属素材や、シリコン樹脂等の耐候性の高い合成樹脂を用いて成形すれば良く、その形態は当然に、当該ガスケットを、その締結部６への差し込み状態が適当に保持でき、且つ当該状態におけるガスケット並びに締結溝１３を含む締結部６の形態を形作ることができることが必要となる。
【００２２】
そこで、当該例にあっては、間口の表面を覆う型枠１２の上縁に続いて、当該間口の締結部６の表側面を成形する下位側壁１５と、当該締結部６の上縁を成形する上壁１６とを一体成形したものであって、当該上壁は、ガスケットの本体が丁度納まる凹部１７を挟んで外ガイド１８と内ガイド１９を梁２０により連結して備えている。前記両ガイド１８，１９は、前記凹部１７の開口部に面する縁に、ガスケットが部分的に離脱しない様に、わずかな迫出し部２１が設けられ、当該凹部１７の中央に、前記クサビ１１をその内部に挿入し前記クサビ溝１０に装着する為の便宜を図る長溝２２が、間欠的に設けられている。又、当該例における内ガイド１９の内側には、ガスケットの欠損溝８に嵌る保形部材９と同形態の支持条２３が凸設されている。
【産業上の利用可能性】
【００２３】
本発明による建築用ガスケットは、一種類の金型から成型された建築用ガスケットから多様な仕様を満足するガスケットとして用いることができるので、金型等にかかる製造コストの削減のみならず、パネルの取付作業が容易で施工性の良好な建築用ガスケット並びに施工方法の提供に寄与する。
【図面の簡単な説明】
【００２４】
【図１（Ａ）（Ｂ）】本発明による建築用ガスケットの一例を示した断面図である。
【図２（Ａ）（Ｂ）（Ｃ）】本発明による建築用ガスケットの実施態様を示した断面図である。
【図３（Ａ）（Ｂ）】本発明による建築用ガスケットを用いた躯体構築工法の一例を示した断面図である。
【図４（Ａ）（Ｂ）】本発明による建築用ガスケットを用いた躯体構築工法の一例を示した断面図である。
【符号の説明】
【００２５】
１  パネル材，２  支え片，３  押え片，４  挟持溝，５  保持部，
６  締結部，７  アンカー部，８  欠損溝，
９  保形部材，１０  クサビ溝，１１  クサビ，１２  型枠，
１３  締結溝，１４  ひだ，１５  下位側壁，１６  上壁，１７  凹部，
１８  外ガイド，１９  内ガイド，２０  梁，２１  迫出し部，２２  長溝，
２３  支持条，２４  固定用治具，
【図１（Ａ）（Ｂ）】
2007205095.tif 000003
【図２（Ａ）（Ｂ）（Ｃ）】
2007205095.tif 000004
【図３（Ａ）（Ｂ）】
2007205095.tif 000005
【図４（Ａ）（Ｂ）】
2007205095.tif 000006